(57)【要約】【課題】  各分割エリアに関する表示位置および初期画面の設定・変更を行う。【解決手段】  不揮発性メモリ１４には、予め設定・変更されたエリアＡ(補助エリア)およびエリアＢ(操作エリア)の初期画面設定情報と各表示エリアの表示位置および表示内容の設定情報である表示エリア情報とが、格納される。そして、電源オン時や無操作タイムアウト発生時に、表示処理制御部１３によってモード初期化処理動作が実行される際に読み出されて、エリアＡとエリアＢとの表示位置および表示内容の設定、エリアＡ,Ｂの初期画面の設定の際に、使用される。こうして、操作者が各分割エリアに関する表示位置および初期画面の設定・変更を行うことを可能にし、操作者の利便性を向上する。【選択図】図３
2005292682.tif 000002
【特許請求の範囲】
【請求項１】
表示領域を分割してなる複数の分割表示領域を有する表示手段と、
夫々の分割表示領域の初期画面を互いに独立して設定する初期画面設定手段
を備えたことを特徴とする表示装置。
【請求項２】
請求項１に記載の表示装置において、
夫々の分割表示領域に対応して設けられると共に、操作者からの指示を受け付けて、上記指示に従って、上記対応付けられた分割表示領域に関する初期画面設定情報を作成する初期画面設定情報作成手段を備えて、
初期画面設定手段は、上記初期画面設定情報作成手段によって作成された初期画面設定情報に基づいて上記初期画面の設定を行うようになっている
ことを特徴とする表示装置。
【請求項３】
請求項１に記載の表示装置において、
上記表示領域の分割位置と、分割された個々の分割表示領域に関する表示内容との設定を行う表示エリア設定手段を備えた
ことを特徴とする表示装置。
【請求項４】
請求項３に記載の表示装置において、
操作者からの指示を受け付けると共に、上記指示に従って、上記表示領域の分割位置と分割された個々の分割表示領域に関する表示内容とを表す表示エリア情報を作成する表示エリア情報作成手段を備えて、
表示エリア設定手段は、上記表示エリア情報作成手段によって作成された表示エリア情報に基づいて上記分割位置および表示内容の設定を行うようになっている
ことを特徴とする表示装置。
【請求項５】
請求項４に記載の表示装置において、
表示エリア情報作成手段は、予め設定された２つの分割表示領域に関する表示内容を入れ換えることが可能になっている
ことを特徴とする表示装置。
【請求項６】
請求項１に記載の表示装置において、
上記各分割表示領域に関する操作者による操作の結果、上記各分割表示領域の表示画面の更新が必要になった場合には、対応する分割表示領域の表示画面を更新する表示画面更新手段を備えた
ことを特徴とする表示装置。
【請求項７】
請求項１に記載の表示装置を搭載していることを特徴とする画像処理装置。
【請求項８】
表示領域を分割してなる複数の分割表示領域夫々の初期画面を互いに独立して設定する
ことを特徴とする表示方法。
【請求項９】
請求項８に記載の表示方法において、
操作者からの指示に従って、上記各分割表示領域に関する初期画面設定情報を作成し、
上記初期画面の設定は、上記作成された初期画面設定情報に基づいて行うようになっている
ことを特徴とする表示方法。
【請求項１０】
コンピュータを、
表示領域を分割してなる複数の分割表示領域夫々の初期画面を互いに独立して設定する初期画面設定手段
として機能させることを特徴とする表示プログラム。
【請求項１１】
請求項１０に記載の表示プログラムにおいて、
上記コンピュータを、さらに、
夫々の分割表示領域に対応して設けられると共に、操作者からの指示を受け付けて、上記指示に従って、上記対応付けられた分割表示領域に関する初期画面設定情報を作成する初期画面設定情報作成手段として機能させると共に、
初期画面設定手段を、上記作成された初期画面設定情報に基づいて上記初期画面の設定を行うように機能させる
ことを特徴とする表示プログラム。
【請求項１２】
請求項１０あるいは請求項１１に記載の表示プログラムが記録されたことを特徴とするコンピュータ読出し可能なプログラム記録媒体。
【発明の詳細な説明】
【技術分野】
【０００１】
この発明は、一つの表示画面に複数の表示領域を設定できる表示装置、表示方法、表示プログラム、プログラム記録媒体、および、画像処理装置に関する。
【背景技術】
【０００２】
従来、例えば、特開２００２‐１８９３８９号公報(特許文献１)のように、表示デバイスにおける表示エリアに第１の画面が表示されている場合に、上記第１の画面の一部に第２の画面をポップアップ表示するものがある。
【０００３】
しかしながら、上記従来の表示装置においては、以下のような問題がある。すなわち、上記従来の表示装置は、単に上記第２の画面をポップアップ表示するものである。したがって、上記従来の表示装置においては、表示エリアを複数に分割し、各分割エリア毎に、ユーザーが所望する画面を独立して表示するものではない。また、各分割エリア毎に、ユーザーが所望する画面を表示する場合、上記各分割エリア毎に表示されている情報は各々別の情報である。そのため、場合によっては、あるいは、ユーザーによっては、各情報毎に初期画面を設定したり変更したりしたいという要望が生ずる。さらに、各分割エリアに表示されている情報を入れ換えたいという要望も生ずる。
【０００４】
しかしながら、上記従来の表示装置のごとく上記第２の画面をポップアップ表示する場合には、上記第２の画面の初期画面を単独に設定したり変更することはできない。勿論、第１の画面と第２の画面との表示内容を入れ換えることもできないのである。
【特許文献１】特開２００２‐１８９３８９号公報
【発明の開示】
【発明が解決しようとする課題】
【０００５】
そこで、この発明の課題は、表示エリアを分割してなる各分割エリアに関する表示位置および初期画面の設定・変更を行うことができる表示装置,表示方法,表示プログラムおよびプログラム記録媒体、並びに、上記表示装置を搭載した画像処理装置を提供することにある。
【課題を解決するための手段】
【０００６】
上記課題を解決するため、この発明の表示装置は、表示領域を分割してなる複数の分割表示領域を有する表示手段と、夫々の分割表示領域の初期画面を互いに独立して設定する初期画面設定手段を備えたことを特徴としている。
【０００７】
上記構成によれば、表示領域を分割してなる複数の分割表示領域夫々の初期画面が、操作者の使用形態や好みに応じて、互いに独立して設定・変更することが可能になる。したがって、例えば、コピー,ファクスおよびスキャナとしての機能を有する画像処理装置に搭載されている場合であって、この画像処理装置を専らコピー機として利用している利用者が多い場合には、上記分割表示領域としての補助エリアと操作エリアとの初期画面を、コピーに関する初期画面に設定しておけば、利用者の利便性を向上することができるのである。
【０００８】
また、１実施例の表示装置では、夫々の分割表示領域に対応して設けられると共に、操作者からの指示を受け付けて、上記指示に従って、上記対応付けられた分割表示領域に関する初期画面設定情報を作成する初期画面設定情報作成手段を備えて、初期画面設定手段は、上記初期画面設定情報作成手段によって作成された初期画面設定情報に基づいて上記初期画面の設定を行うようになっている。
【０００９】
この実施例によれば、上記初期画面設定情報作成手段によって、予め夫々の分割表示領域に関する初期画面設定情報を作成しておくだけで、各分割表示領域の初期画面が設定される。したがって、上記初期画面の設定・表示を行う際に上記初期画面設定情報を作成することの煩わしさから操作者を解放できる。
【００１０】
また、１実施例の表示装置では、上記表示領域の分割位置と分割された個々の分割表示領域に関する表示内容との設定を行う表示エリア設定手段を備えている。
【００１１】
この実施例によれば、表示領域を複数の分割表示領域に分割する際の分割位置と、各分割表示領域に関する表示内容とが設定可能となるため、更なる操作者の利便性の向上が図られる。
【００１２】
また、１実施例の表示装置では、操作者からの指示を受け付けると共に、上記指示に従って、上記表示領域の分割位置と分割された個々の分割表示領域に関する表示内容とを表す表示エリア情報を作成する表示エリア情報作成手段を備えて、表示エリア設定手段は、上記表示エリア情報作成手段によって作成された表示エリア情報に基づいて上記分割位置および表示内容の設定を行うようになっている。
【００１３】
この実施例によれば、上記表示エリア情報作成手段によって、予め表示エリア情報を作成しておくだけで、各分割表示領域の分割位置と表示内容とが設定される。したがって、上記各分割表示領域の分割位置と表示内容との設定を行う際に上記表示エリア情報を作成することの煩わしさから操作者を解放できる。
【００１４】
また、１実施例の表示装置では、表示エリア情報作成手段は、予め設定された２つの分割表示領域に関する表示内容を入れ換えることが可能になっている。
【００１５】
この実施例によれば、予め設定された２つの分割表示領域に関する表示内容を入れ換えることができるため、各分割表示領域の表示内容の設定がより迅速になる。
【００１６】
また、１実施例の表示装置では、上記各分割表示領域に関する操作者による操作の結果上記各分割表示領域の表示画面の更新が必要になった場合には、対応する分割表示領域の表示画面を更新する表示画面更新手段を備えている。
【００１７】
この実施例によれば、上記各分割表示領域に関する表示形態も操作者によって切り換えることができる。
【００１８】
また、この発明の画像処理装置は、請求項１に記載の表示装置を搭載していることを特徴としている。
【００１９】
上記構成によれば、表示手段の表示領域を分割してなる複数の分割表示領域に互いに独立して画像を表示する際に、各分割表示領域の初期画面が互いに操作者の使用形態や好みに応じて独立して設定・変更される。したがって、例えば、コピー,ファクスおよびスキャナとしての機能を有する画像処理装置の場合であって、この画像処理装置を専らコピー機として利用している利用者が多い場合には、上記分割表示領域としての補助エリアと操作エリアとの初期画面を、コピーに関する初期画面に設定しておけば、利用者の利便性を向上することができるのである。
【００２０】
また、この発明の表示方法は、表示領域を分割してなる複数の分割表示領域夫々の初期画面を互いに独立して設定することを特徴としている。
【００２１】
また、この発明の表示プログラムは、コンピュータを、表示領域を分割してなる複数の分割表示領域夫々の初期画面を互いに独立して設定する初期画面設定手段として機能させることを特徴としている。
【００２２】
また、この発明のプログラム記録媒体は、上記表示プログラムが記録されたことを特徴としている。
【００２３】
上記各構成によれば、表示領域を分割してなる複数の分割表示領域夫々の初期画面が、操作者の使用形態や好みに応じて、互いに独立して設定・変更することが可能になる。したがって、利用者の利便性を向上することができる。
【発明の効果】
【００２４】
以上より明らかなように、この発明によれば、表示デバイスの表示領域を複数の分割表示領域に分割した際に、夫々の分割表示領域の初期画面を、操作者の使用形態や好みに応じて、互いに独立して設定することができるため、操作者の利便性を向上させることができる。
【発明を実施するための最良の形態】
【００２５】
以下、この発明を図示の実施の形態により詳細に説明する。図１は、本実施の形態の表示装置が搭載された画像処理装置の概略構成を示す。この画像処理装置は、大きくは、原稿の画像を読み取って画像データを生成する読取部１と、この読取部１によって得られた画像データに基づいて用紙に印字を行う印字部２と、この印字部２に用紙を供給する給紙部３を備えている。また、詳述はしないが、通信ネットワークと接続する通信Ｉ/Ｆを備えている。
【００２６】
上記読取部１では、原稿を露光・スキャンしてＣＣＤセンサ(図示せず)等によって画像信号を得、さらに、二値化処理,画質補正,変倍,画像編集等の画像処理を行い、得られた画像データを画像記憶部(図示せず)に記憶する。印字部２は、上記画像記憶部からの画像データに基づいて、イエロー(Ｙ)用の感光体ドラム４の表面に静電潜像を形成し、その静電潜像上にイエローのトナーを付着させてイエローのトナー像を形成する。同様に、マゼンタ(Ｍ)用の感光体ドラム５の表面にマゼンタのトナー像を形成し、シアン(Ｃ)用の感光体ドラム６の表面にシアンのトナー像を形成し、ブラック(Ｋ)用の感光体ドラム７の表面にブラックのトナー像を形成する。
【００２７】
そして、夫々の感光体ドラム４〜７の表面のトナー像は、給紙部３から供給されて用紙搬送路８を搬送される用紙の表面に順次転写される。そして、画像が転写された用紙は、夫々の感光体ドラム４〜７の表面から分離され、転写後の各感光体ドラムドラム４〜７の表面は、クリーニング装置(図示せず)によって清掃される。
【００２８】
ところで、上記構成を有する画像処理装置においては、図２に示すような操作者が入力を行うための操作パネル１１が、例えば、図１における上部手前側に略水平に設置されている。そして、この操作パネル１１には、画像形成,画像読取および画像送受信に関するジョブ情報を表示するための液晶タッチパネル１２が設けられている。ここで、液晶タッチパネル１２は、操作者からの操作を受け付ける機能(以下、ユーザーインターフェース機能と言う)を有しており、操作手段としても使用される。
【００２９】
図３は、本実施の形態の表示装置における機能的構成を示すブロック図である。表示処理制御部１３は、操作パネル１１の液晶タッチパネル１２に画面を表示する場合は、不揮発性メモリ１４から上記画面の設定情報を読み込み、この読み込まれた設定情報に従って上記画面の表示を行う。また、ジョブ一覧等の画面を表示するために、ジョブ一覧の情報等が必要な場合には、ジョブ管理部１５からジョブ一覧等の情報を得る。また、上記初期画面の設定情報が変更された場合には、不揮発性メモリ１４にその変更後の上記初期画面の設定情報を記録する。
【００３０】
図４は、上記構成を有する表示装置による状態遷移図である。図４において、電源がオンされると、起動時初期化状態に遷移して起動時の初期化処理を行う。そして、起動時初期化処理が終了するとモード初期化状態に遷移する。このモード初期化状態においては、動作モードや表示モード等の初期化を行う。このモード初期化状態中において初期画面の設定を行う。モード初期化処理が終了するとモード設定状態に遷移する。
【００３１】
上記モード設定状態においては、上記液晶タッチパネル１２における上記分割表示領域としてのエリアＡおよびエリアＢ(共に図示せず)の表示を行う。このモード設定状態中での操作によって、エリアＡまたはエリアＢの表示内容の変更や動作モードの変更を行う。すなわち、図２に示すように、操作パネル１１に設けられたユーティリティ・キー１６の操作によってユーティリティモード状態に遷移し、無操作タイムアウトによって上記モード初期化状態に遷移する。ユーティリティモード状態においては、上記エリアＡおよびエリアＢの表示を行う。このユーティリティモード状態中での操作によって、エリアＡあるいはエリアＢの表示内容の変更や動作モードの変更を行う。すなわち、ユーティリティ・キー１６の操作によって上記モード設定状態に遷移し、無操作タイムアウトによって上記モード初期化状態に遷移するのである。尚、液晶タッチパネル１２の表示エリアは、上記エリアＡおよびエリアＢの二つのエリアに限定されるものではなく、さらに多くの表示エリアから構成されていても構わない。但し、以下の説明においては、表示画面はエリアＡ,Ｂの二つのエリアからなるものとする。
【００３２】
ここで、上記機能的構成を有する表示装置の具体的ハードウェア構成は、後述する各種の処理を実行するプログラムを含む各種プログラムを記憶するプログラムメモリ、各種情報を記憶するデータメモリ、通信ネットワークと接続する通信Ｉ/Ｆ、入力装置、出力装置、液晶タッチパネル１２、外部記録媒体がセットされてこの外部記録媒体をアクセスする外部補助記憶装置、上記プログラムメモリ,データメモリ,通信Ｉ/Ｆ,入力装置,出力装置,液晶タッチパネル１２および外部補助記憶装置等を制御して、モード初期化やモード設定やユーティリティ処理等を実行するＣＰＵ(中央演算処理装置)等で成る。
【００３３】
すなわち、上記表示処理制御部１３およびジョブ管理部１５は上記ＣＰＵで構成され、不揮発性メモリ１４は上記データメモリや外部補助記憶装置等で構成されるのである。また、上記ＣＰＵは、上述した各部１３,１５による本実施の形態に係る処理動作の他に、演算・判断処理,計時処理および入出力処理等の各種の処理動作を行うようになっている。尚、上記各種の処理を実行するプログラムは、上記外部記録媒体や通信ネットワークから上記プログラムメモリにインストールしても差し支えない。
【００３４】
以下、上記各状態での具体的処理動作について順次説明する。先ず、モード初期化状態での処理について説明する。図５は、表示処理制御部１３によって実行されるモード初期化処理動作のフローチャートである。上記起動時初期化が終了すると、モード初期化処理動作がスタートする。
【００３５】
ステップＳ1で、各動作モードの初期化が行われる。ステップＳ2で、液晶タッチパネル１２におけるエリアＡに関する初期画面設定情報が、不揮発性メモリ１４から読み込まれる。そして、液晶タッチパネル１２の上記ユーザーインターフェース機能を利用した操作者との対話等によって、エリアＡの初期画面が確定される。こうして、エリアＡの初期画面が設定される。ステップＳ3で、エリアＢに関する初期画面設定情報が不揮発性メモリ１４から読み込まれて確定され、エリアＢの初期画面が設定される。ステップＳ4で、後に詳述する表示エリア情報が不揮発性メモリ１４から取得される。そして、この取得された表示エリア情報に基づいて、液晶タッチパネル１２の左側がエリアＡであるか否かが判別される。その結果、左側がエリアＡである場合にはステップＳ5に進み、そうでなければステップＳ6に進む。
【００３６】
ステップＳ5で、上記液晶タッチパネル１２上におけるエリアＡの表示開始座標が、左上を表す(０,０)と設定される。さらに、エリアＢの表示開始座標が、エリアＡの右側を表す(エリアＡの幅,０)と設定される。そうした後に、ステップＳ7に進む。ステップＳ6で、エリアＢの表示開始座標が、左上を表す(０,０)と設定される。さらに、エリアＡの表示開始座標が、エリアＢの右側を表す(エリアＢの幅,０)と設定される。
【００３７】
ステップＳ7で、上記ステップＳ2において確定されたエリアＡの初期画面が、上記設定されたエリアＡの表示開始座標から描画される。ステップＳ8で、上記ステップＳ3において確定されたエリアＢの初期画面が、上記設定されたエリアＢの表示開始座標から描画される。そうした後、モード初期化処理動作が終了される。
【００３８】
次に、上記モード設定状態での処理について説明する。図６は、表示処理制御部１３によって実行されるモード設定処理動作のフローチャートである。上記モード初期化処理動作が終了すると、モード設定処理動作がスタートする。
【００３９】
ステップＳ11で、イベントが発生したか否かが判別される。その結果、イベントが発生すればステップＳ12に進む。そうでなければ、何かイベントが発生するのを待つ。ステップＳ12で、上記発生したイベントが、無操作タイムアウトであるか否かが判別される。その結果、「無操作タイムアウト」のイベントであれば、図５に示す上記モード初期化処理動作に遷移する。一方、「無操作タイムアウト」のイベントで無ければステップＳ13に進む。ステップＳ13で、上記発生したイベントが、ユーティリティ・キー１６の操作であるか否かが判別される。その結果、「ユーティリティ・キー１６」のイベントであれば、後に詳述するユーティリティモード処理動作に遷移する。一方、「ユーティリティ・キー１６」のイベントで無ければステップＳ14に進む。ステップＳ14で、上記発生したイベントが、その他のキー入力であるか否かが判別される。その結果、「その他のキー入力」のイベントであればステップＳ15に進み、「その他のキー入力」のイベントで無ければステップＳ16に進む。ステップＳ15で、モード設定状態中でのキー入力処理を行う。
【００４０】
ステップＳ16で、上記モード設定状態中でのキー入力処理が行われた結果、エリアＡに対する表示内容の更新が必要か否かが判別される。その結果、更新が必要な場合にはステップＳ17に進み、更新が必要でない場合にはステップＳ18に進む。ステップＳ17で、エリアＡに対する描画処理が行われる。ステップＳ18で、上記キー入力処理が行われた結果、エリアＢに対する表示内容の更新が必要か否かが判別される。その結果、更新が必要な場合にはステップＳ19に進み、更新が必要でない場合には上記ステップＳ11に戻ってイベント待ちの状態となる。ステップＳ19で、エリアＢに対する描画処理が行われる。そうした後、上記ステップＳ11に戻ってイベント待ちの状態となる。そして、上記「ユーティリティ・キー１６」のイベントが発生すると、上記ユーティリティモード処理動作に遷移するのである。
【００４１】
次に、上記ユーティリティモード状態での処理について説明する。図７は、表示処理制御部１３によって実行されるユーティリティモード処理動作のフローチャートである。図６に示すモード設定処理動作のステップＳ13において、「ユーティリティ・キー１６」のイベントが発生したと判断されると、ユーティリティモード処理動作がスタートする。
【００４２】
このユーティリティモード処理動作では、上述したモード設定処理動作と基本的には同様の処理が行われる。すなわち、ステップＳ21〜ステップＳ25で、イベント「無操作タイムアウト」が発生すれば図５に示す上記モード初期化処理動作に遷移し、イベント「ユーティリティ・キー１６」が発生すれば図６に示すモード設定処理動作に遷移し、イベント「その他のキー入力」が発生すればユーティリティモード状態中でのキー入力処理が行われる。そして、ステップＳ26〜ステップＳ29で、上記ユーティリティモード状態中でのキー入力処理が行われた結果、エリアＡに対する表示内容の更新が必要な場合にはエリアＡに対する描画処理が行われ、エリアＢに対する表示内容の更新が必要な場合にはエリアＢに対する描画処理が行われる。そうした後、上記ステップＳ21に戻ってイベント待ちの状態となる。そして、上記「ユーティリティ・キー１６」のイベントが発生すると、上記モード設定処理動作に遷移するのである。
【００４３】
次に、図５に示すモード初期化処理動作のステップＳ2において読み込まれるエリアＡに関する初期画面設定情報の作成方法について、詳細に説明する。図１１(a)は、液晶タッチパネル１２に表示された補助エリア(エリアＡ)の初期画面設定用画面である。また、図８は、表示処理制御部１３によって実行される補助画面設定処理動作のフローチャートである。上記補助エリアの初期画面設定用画面が液晶タッチパネル１２に表示されると、補助画面設定処理動作がスタートする。
【００４４】
ステップＳ31〜ステップＳ34で、図１１(a)に示す上記補助画面の初期画面設定用画面におけるジョブ一覧キー１７が操作されたと判断された場合にはステップＳ35に進み、プリント順キー１８が操作されたと判断した場合にはステップＳ39に進み、ＦＡＸ送信キー１９が操作されたと判断した場合にはステップＳ43に進み、ＩＤ別キー２０が操作されたと判断された場合にはステップＳ47に進む。また、ジョブ一覧キー１７,プリント順キー１８,ＦＡＸ送信キー１９およびＩＤ別キー２０の何れでもない場合にはステップＳ51に進む。
【００４５】
ステップＳ35で、現在「ジョブ一覧」が選択されているか否かが判別される。そして、ジョブ一覧選択中である場合には、補助画面設定処理動作を終了する。一方、「ジョブ一覧」が選択中でない場合にはステップＳ36に進む。ステップＳ36で、上記補助画面の初期画面設定用画面において現在選択中のキー(つまり反転表示中のキー)の反転表示が解除される。ステップＳ37で、ジョブ一覧キー１７が反転表示される。この状態が図１１(a)である。ステップＳ38で、ジョブ管理部１５からジョブ一覧の情報を得、このジョブ一覧情報に基づいて上記エリアＡの初期画面が「ジョブ一覧」に設定される。そうした後、補助画面設定処理動作が終了される。
【００４６】
ステップＳ39〜ステップＳ42で、上記ステップＳ35〜ステップＳ38の場合と同様に、現在選択中のキーの反転表示解除、プリント順キー１８の反転表示、エリアＡの初期画面の「プリント順」への設定が行われる。また、ステップＳ43〜ステップＳ46で、現在選択中のキーの反転表示解除、ＦＡＸ送信キー１９の反転表示、エリアＡの初期画面の「ＦＡＸ送信」への設定が行われる。また、ステップＳ47〜ステップＳ50で、現在選択中のキーの反転表示解除、ＩＤ別キー２０の反転表示、エリアＡの初期画面の「ＩＤ別」への設定が行われる。こうして設定されたエリアＡに関する初期画面設定情報は、不揮発性メモリ１４に格納され、電源オン時や無操作タイムアウト発生時に上記モード初期化処理動作が実行される際に読み出されてエリアＡの初期画面として表示される。
【００４７】
ステップＳ51で、操作されたキーに応じて、その他のキー処理が行われる。そうした後に、補助画面設定処理動作が終了される。
【００４８】
次に、図５に示すモード初期化処理動作のステップＳ3において読み込まれるエリアＢに関する初期画面設定情報の作成方法について、詳細に説明する。図１１(b)は、液晶タッチパネル１２に表示された操作エリア(エリアＢ)の初期画面設定用画面である。また、図９は、表示処理制御部１３によって実行される操作画面設定処理動作のフローチャートである。上記操作エリアの初期画面設定用画面が液晶タッチパネル１２に表示されると、操作画面設定処理動作がスタートする。
【００４９】
この操作画面設定処理動作では、上述した補助画面設定処理動作と基本的には同様の処理が行われる。すなわち、ステップＳ61〜ステップＳ63で、図１１(b)に示す上記操作画面の初期画面設定用画面において、コピーキー２１,ファクスキー２２およびスキャナキー２３の何れが操作されたのかが判別され、判別結果に応じたステップに分岐する。そして、ステップＳ64〜ステップＳ67で、現在選択中のキーの反転表示解除、コピーキー２１の反転表示、エリアＢの初期画面の「コピー」への設定が行われる。また、ステップＳ68〜ステップＳ71で、現在選択中のキーの反転表示解除、ファクスキー２２の反転表示、エリアＢの初期画面の「ファクス」への設定が行われる。また、ステップＳ72〜ステップＳ75で、現在選択中のキーの反転表示解除、スキャナキー２３の反転表示、エリアＢの初期画面の「スキャナ」への設定が行われる。また、ステップＳ76で、操作されたキーに応じて、その他のキー処理が行われる。そうした後、操作画面設定処理動作が終了される。
【００５０】
こうして設定されたエリアＢに関する初期画面設定情報は、不揮発性メモリ１４に格納され、電源オン時や無操作タイムアウト発生時に上記モード初期化処理動作が実行される際に読み出されてエリアＢの初期画面として表示される。
【００５１】
尚、上述の説明では、図１１(b)に示す上記操作エリアの初期画面設定用画面におけるコピーキー２１,ファクスキー２２およびスキャナキー２３のうち、操作されたキーに応じたステップに分岐するようにしている。しかしながら、図２に示す操作パネル１１におけるコピーキー２４,ファクスキー２５あるいはスキャナキー２６の押下によって、対応するステップに分岐させることも可能である。
【００５２】
次に、図５に示すモード初期化処理動作のステップＳ4において、不揮発性メモリ１４から読み出される表示エリア情報の作成について、詳細に説明する。図１１(c)は、液晶タッチパネル１２に表示される表示エリア設定用画面である。また、図１０は、表示処理制御部１３によって実行される表示エリア設定処理動作のフローチャートである。上記表示エリア設定用画面が液晶タッチパネル１２に表示されると、表示エリア設定処理動作がスタートする。
【００５３】
この表示エリア設定処理動作では、上述した補助画面設定処理動作と基本的には同様の処理が行われる。すなわち、ステップＳ81およびステップＳ82で、図１１(c)に示す上記表示エリア設定用画面において、液晶タッチパネル１２の左側を上記補助エリアに設定する一方、右側を上記操作エリアに設定するための「補助:操作」キー２７、および、表示エリアの左側を上記操作エリアに設定する一方、右側を上記補助エリアに設定するための「操作:補助」キー２８の何れが操作されたかが判別され、判別結果に応じたステップに分岐する。そして、ステップＳ83〜ステップＳ86で、現在選択中のキーの反転表示解除、「補助:操作」キー２７の反転表示、表示エリアの「補助:操作」への設定が行われる。また、ステップＳ87〜ステップＳ90で、現在選択中のキーの反転表示解除、「操作:補助」キー２８の反転表示、表示エリアの「操作:補助」への設定が行われる。また、ステップＳ91で、操作されたキーに応じて、その他のキー処理が行われる。そうした後に、表示エリア設定処理動作を終了する。尚、こうして設定された表示エリア情報は不揮発性メモリ１４に格納される。
【００５４】
図１２は、上記液晶タッチパネル１２に対する表示例を示す。図１２(a)は、図１０に示す表示エリア設定処理動作によって、表示エリアの左側を補助エリア(エリアＡ)に設定し、右側を操作エリア(エリアＢ)に設定し、図８に示す補助画面設定処理動作によって、エリアＡの初期画面を「ジョブ一覧」に設定し、図９に示す操作画面設定処理動作によって、エリアＢの初期画面を「コピー」に設定した場合に、液晶タッチパネル１２に表示される初期画面の表示例である。ここで、上記表示エリア設定処理動作によって、表示エリアの左側を操作エリア(エリアＢ)に設定し、右側を補助エリア(エリアＡ)に設定した場合は、図１２(b)に示すように、図１２(a)とは左右が逆に表示される。但し、エリアＡの初期画面は「プリント順」に設定されている。この場合、「プリント順」は必ずしも「ジョブ一覧」と同じではなく、図１２(a)の「ジョブ一覧」のうちプリントとは関係ない「ＦＡＸ」は、「プリント順」では表示されていない。尚、本表示例では、操作エリアの面積が補助エリアの面積よりも大きく設定されている。そして、図１２(b)のごとく左右が逆になった場合にも、操作エリアの方が広く表示される。
【００５５】
同様に、図１２(c)は、上記エリアＡ(補助エリア)の初期画面を「ＦＡＸ送信」に設定し、エリアＢ(操作エリア)の初期画面を「ファクス」に設定した場合の表示例である。また、図１２(d)は、エリアＡ(補助エリア)の初期画面を「ＩＤ別」に設定し、エリアＢ(操作エリア)の初期画面を「スキャナ」に設定した場合の表示例である。
【００５６】
このように、本実施の形態によれば、操作者は、上記液晶タッチパネル１２に対するエリアＡ(補助エリア)とエリアＢ(操作エリア)との表示位置の選択および変更を自由に行うことができる。さらに、上記表示位置が設定されたエリアＡ(補助エリア)とエリアＢ(操作エリア)との初期画面を、互いに独立して選択および変更することができる。そして、こうして設定されたエリアＡ(補助エリア)とエリアＢ(操作エリア)との初期画面は、起動時初期化が終了した時点と、モード設定処理時またはユーティリティモード処理時に無操作タイムアウトが発生した時点とに、上記設定された表示位置に表示されるのである。したがって、操作者は、使用形態や好みに応じて操作初期画面および表示位置を選択することができ、利便性が向上するのである。
【００５７】
図１３は、図８に示す補助画面設定処理動作において「ＩＤ別」に設定されたエリアＡの初期画面の表示例である。図１３(a)において、画面左上に位置する「変更」キー２９を押下すると、エリアＡの表示が図１３(b)に変わる。そして、名前が登録されている画面内のキー(例えば、「小西実:５２４」のキー)３０を選択するか、操作パネル１１のテンキー３２からＩＤ(小西実の「５２４」)を入力した後に、エリアＢの補助エリアに表示されている「ＩＤ」キー３１を押下すると、図１３(c)に示すように、上記選択されたＩＤ(「小西実:５２４」)に応じて、登録されている全ジョブが表示されるのである。
【図面の簡単な説明】
【００５８】
【図１】この発明の表示装置が搭載された画像処理装置の概略構成を示す図である。
【図２】操作パネルの外観図である。
【図３】この発明の表示装置におけるブロック図である。
【図４】図３に示す表示装置による状態遷移図である。
【図５】モード初期化処理動作のフローチャートである。
【図６】モード設定処理動作のフローチャートである。
【図７】ユーティリティモード処理動作のフローチャートである。
【図８】補助画面設定処理動作のフローチャートである。
【図９】操作画面設定処理動作のフローチャートである。
【図１０】表示エリア設定処理動作のフローチャートである。
【図１１】補助エリアの初期画面設定用画面、操作エリアの初期画面設定用画面、および、表示エリア設定用画面を示す図である。
【図１２】液晶タッチパネルの表示例を示す図である。
【図１３】「ＩＤ別」に設定されたエリアＡの初期画面の表示例を示す図である。
【符号の説明】
【００５９】
１…読取部、
２…印字部、
３…給紙部、
４,５,６,７…感光体ドラム、
８…用紙搬送路、
１１…操作パネル、
１２…液晶タッチパネル、
１３…表示処理制御部、
１４…不揮発性メモリ、
１５…ジョブ管理部、
１６…ユーティリティ・キー、
１７…ジョブ一覧キー、
１８…プリント順キー、
１９…ＦＡＸ送信キー、
２０…ＩＤ別キー、
２１,２４…コピーキー、
２２,２５…ファクスキー、
２３,２６…スキャナキー、
２７…「補助:操作」キー、
２８…「操作:補助」キー、
２９…「変更」キー、
３０…画面内キー、
３１…「ＩＤ」キー、
３２…テンキー。
【図１】
2005292682.tif 000003
【図２】
2005292682.tif 000004
【図３】
2005292682.tif 000005
【図４】
2005292682.tif 000006
【図５】
2005292682.tif 000007
【図６】
2005292682.tif 000008
【図７】
2005292682.tif 000009
【図８】
2005292682.tif 000010
【図９】
2005292682.tif 000011
【図１０】
2005292682.tif 000012
【図１１】
2005292682.tif 000013
【図１２】
2005292682.tif 000014
【図１３】
2005292682.tif 000015